(57)【要約】【課題】蛇口から外流しに流入させた水を効率良く排水し、蛇口から外流しに流れ落ちる水の撥ね上がりを抑えて、周辺への水の飛散防止を図る。【解決手段】外流し１の前壁部３を後壁部４側へ傾斜させ、その底部２の上面に、底部２の周辺縁側から排水口７側へと向かって下り傾斜した水流れ勾配を設け、蛇口の水が流れ落ちる底部２の上面領域に、断面山形の凸筋９１を列設させてなる水受け面部９を設ける。【選択図】図１
2012087567.tif 000002
【特許請求の範囲】
【請求項１】
平面視方形状の底部（２）の周辺縁から前後壁部（３、４）及び左右壁部（５、６）が立ち上がり、底部（２）内の後壁部（４）寄りの位置に排水口（７）が設けられてなる外流し（１）において、
前壁部（３）が後壁部（４）側へ傾斜して底部（２）の前辺縁から立ち上がり、
底部（２）の上面に、当該底部（２）の周辺縁側から排水口（７）側へと向かって下り傾斜した水流れ勾配が設けられているとともに、断面山形の凸筋（９１）を列設させてなる水受け面部（９）が設けられた構成を有することを特徴とする外流し。
【請求項２】
前後壁部（３、４）間方向に沿って延びた凸筋（９１）を列設させて水受け面部（９）が形成されてなる請求項１に記載の外流し。
【請求項３】
左右壁部（５、６）間方向に沿って延びた凸筋（９１）を列設させて水受け面部（９）が形成されてなる請求項１に記載の外流し。
【請求項４】
前後壁部（３、４）間方向に沿って延びた凸筋（９１）と、左右壁部（５、６）間方向に沿って延びた凸筋（９１）とを混合して列設させて水受け面部（９）が形成されてなる請求項１〜３の何れかに記載の外流し。
【請求項５】
請求項１〜４の何れかに記載の外流し（１）と水栓柱（２０）により構成された外流しシステムであって、前記水栓柱（２０）の前面上部（２２）には水を放水するための蛇口（２１）が設けれていることを特徴とする外流しシステム。
【発明の詳細な説明】
【技術分野】
【０００１】
本発明は、屋外に設置される外流しの構造に関する。
【背景技術】
【０００２】
泥付きの野菜を洗ったり運動靴や外着などを手洗いしたりするための洗い場として、住宅の庭や勝手口などに外流しを設置することがある。
かかる外流しは、例えば図９及び図１０に示されるように、底部１０１の周囲に前後壁部１０２、１０３と左右壁部１０４、１０５を適宜な高さに立ち上げ、これら周壁部の上端を外方へ張り出したフランジ部１０６とし、底部１０１内の後壁部１０３寄りの位置に排水口１０７を設けて構成され、これをコンクリートブロックなどの支持台１１０、１１０に載せて水栓柱１２０の前方に隣接配置し、水栓柱１２０の蛇口１２１から流出する水を外流し１００の底部１０１上に流し落とし、排水口１０７から排水路へと流出させるように設けて設置される（例えば特許文献１、２参照）。
【先行技術文献】
【特許文献】
【０００３】
【特許文献１】特開２００１−３４８９２８号公報
【特許文献２】特開２００５−１３３４４６号公報
【発明の開示】
【発明が解決しようとする課題】
【０００４】
前記図示した外流し１００は、図１０に示されるように、底部１０１の上面が略平坦に形成されているため、蛇口１２１から底部１０１上に流し落とした水の排水口１０７へと向かう速度が遅く、蛇口１２１から外流し１００内に流入させた水が完全に排水されまでに時間を要し、また、蛇口１２１から流れ落ちた水が底部１０１の上面に当たって撥ね上がり易く、大きく撥ね上がった水が前壁部１０２を越えて外流し１００の正面に居る利用者に掛ってしまい易かった。
とりわけ、蛇口１２１を大きく開けて水を勢いよく流出させると、底部１０１の上面に当たって撥ね上がった多量の水が前壁部１０２を越えて利用者を濡らしてしまい、また、底部１０１上に洗い物が置かれていると、前記の通り排水速度が遅いこと相俟って、蛇口１２１からの給水量が外流し１００の貯水容量を直ぐに上回り、外流し１００に流入させた水が外流し１００から溢れ出る事態を生じさせ易い。この場合、外流し１００の周壁部を高く設ければ、水が底部１０１の上面で撥ね上がったとしても前壁部１０２を越えて利用者に掛かる水の量は少なくなり、また、貯水容量も増してオーバーフローし難くなるが、外流し１００を深底に形成したのでは、底部１０１に洗い物を置いて洗うときに腰を屈めなければならず、洗い物の出し入れもし難くなって使い勝手が悪くなってしまう。
【０００５】
本発明は従来技術の有するこのような問題点に鑑み、蛇口から外流しに流入させた水を効率良く排水できるようにし、蛇口から流れ落ちる水を外流しの底部で受けたときの水の撥ね上がりを抑えて、外流し周辺への水の飛散防止を図ることを課題とする。
【課題を解決するための手段】
【０００６】
前記課題を解決するため本発明は、平面視方形状の底部の周辺縁から前後壁部と左右壁部が立ち上がり、底部内の後壁部寄りの位置に排水口が設けられてなる外流しにおいて、前壁部が後壁部側へ傾斜して底部の前辺縁から立ち上がり、底部の上面に、当該底部の周辺縁側から排水口側へと向かって下り傾斜した水流れ勾配が設けられているとともに断面山形の凸筋を列設させてなる水受け面部が設けられた構成を有することを特徴とする。
【０００７】
上記構成の外流しによれば、外流しの上方に配された蛇口を開けて水を流出させると、水は外流しの底部上面に設けられた水受け面部に流れ落ち、水受け面部内に列設された凸筋に衝突して落下の衝撃が分散して弱められ、つまり凸筋群が落下する水の勢いを緩衝する作用をなすため水の撥ね上がりが抑えられ、蛇口から外流しの底部に落下した水が大きく撥ね返って外流しの周辺に飛散することを効果的に防止することができる。
また、外流しの前壁部を後壁部側へ傾斜させてあるので、水受け面部に流れ落ちた水の一部が外流しの前方へ撥ね上がっても前記傾斜した前壁部の内面に衝突して前壁部を越えて外流しの前方へ飛散することはなく、外流しの正面側に居る利用者に水が掛ることはない。
さらに、外流しの水受け面部を含む底部上面には、底部の周辺縁部側、つまり前後壁部及び左右壁部の立ち上がり根元部分側から排水口側へと向かって下り傾斜した水流れ勾配が設けてあるので、底部上面に流れ落ちた水は当該傾斜した上面を伝って排水口へと集水され、外流しに流入した水を短時間で効率的に排水することができる。
【０００８】
前記構成の外流しにおいて、水受け面部はその面内に前後壁部間方向に沿って延びた凸筋を列設させて形成することができる。
水受け面部に前後壁部間に延びた凸筋が列設してあれば、蛇口から流れ落ちた水が水受け面部に衝突してその一部が撥ね上がったとしても、水は外流しの前後方向に延びた凸筋に当たって外流しの左右方向に向かって撥ね上がるため、外流しの正面側に居る利用者に撥ね返った水が掛ることはない。
また、水受け面部は、左右壁部間方向に沿って延びた凸筋を列設させて形成してもよく、前後壁部間方向に沿って列設させた凸筋と、左右壁部間方向に沿って列設させた凸筋とが部分的に含まれるようにし、さらには前記前後又は左右方向に延びた凸筋と底部上で斜めに延びた凸筋とを各々組み合わせて形成してもよい。
【０００９】
前記水受け面部に列設する凸筋は、断面形状が山形であれば、その頂部を湾曲させたり、頂部の両側の面の傾斜角度を異ならせたり、或いは鋸歯形状に設けたりしてもよい。
水受け面部内に列設する凸筋の本数は、外流しの大きさや水受け面部の広さや深さなど、外流しの形成条件に応じ、落下する水の衝撃を分散して弱めることが可能な複数、或いは多数に亘る適宜な本数に設定することができる。
凸筋間の幅や高さ、長さは、外流しの全体寸法などに応じて適宜に設定することができる。凸筋間の幅は蛇口から流下した水を両側で分散できるよう、蛇口の外径と略等しい寸法に設定することが好ましく、凸筋の高さはそれに応じて適宜設定することが好ましい。
凸筋間の幅は８ｍｍ以上２０ｍｍ以下の範囲とするのが好ましい。８ｍｍ以上であれば、蛇口から流下した水を両側へ分散して水の衝撃を弱め、水の跳ね返りを効果的に抑えるとともに、凸筋が急勾配にならないように凸筋高さを設けることができる。２０ｍｍ以下であれば、蛇口から流下した水を両側へ分散して水の衝撃を弱め、水の跳ね返りを効果的に抑えることができる。より好ましくは凸筋間の幅は１０ｍｍ以上１８ｍｍ以下の範囲である。
凸筋の高さは１ｍｍ以上１０ｍｍ以下とするのが好ましい。凸筋の高さが１ｍｍ以上であれば流下する水の衝撃を弱めるとともに水の跳ね返る方向を変えることができ、１０ｍｍ以下であれば排水性を低下させることなく、凸筋間にゴミを滞留させずに水とともに排水口へ流すことができる。より好ましくは凸筋の高さは３ｍｍ以上７ｍｍ以下の範囲である。
水受け面部は、底部上面において蛇口から流下する水が衝突する領域を含む位置に設けられ、底部上面の全体を水受け面部としてもよい。排水性を良好にするため、底部上面の略中央部に水受け面部を配置し、水受け面部の周囲には排水口に通ずる流水路を設けることが好ましい。
底部上面における水受け面部と流水路の面積比は、７０：３０乃至は９０：１０とするのが好ましい。流水路の面積が１０〜３０％であれば良好な排水性を確保することができ、一方、水受け面部の面積が７０〜９０％であれば蛇口から流下する水の衝突に水の撥ね返りを抑止することができる。より好ましくは底部上面における水受け面部と流水路の面積比は、７５：２５乃至は８５：１５である。
前記構成の外流しは、例えばポリプロピレンや繊維強化プラスチックなどの合成樹脂や再生樹脂材料、或いはレンジコンクリートなどの材料を用い、射出成形やＢＭＣ成形などの製造方法により成形することができる。
本発明の外流しシステムは、前記構成の外流しと水栓柱により構成された外流しシステムであって、前記水栓柱の上部に水を放水するための蛇口を具備して構成される。水栓柱は一般的なものであれば良い。外流しの切り欠き部の形状は水栓柱の形状に即したものとすることが好ましい。水栓柱の上部とは水栓柱の全高さの半分より上を意味する。
【図面の簡単な説明】
【００１０】
【図１】本発明の一実施形態の外流しの外観斜視図である。
【図２】図１の外流しの平面図である。
【図３】図２中のＩＩＩ−ＩＩＩ線に沿った断面図である。
【図４】図３中のＩＶ−ＩＶ線に沿った断面図である。
【図５】図４に示された水受け面部の拡大断面図である。
【図６】（Ａ）〜（Ｃ）は本発明の他の実施形態の外流しの平面図である。
【図７】（Ａ）〜（Ｄ）は水受け面部に並設される凸筋の他の形態を示した拡大断面図である。
【図８】本発明の外流しシステムの外観斜視図である。
【図９】従来の外流しを水栓柱に設置した状態の外観図である。
【図１０】図９に示された外流しの平面図とその中央縦断面図である。
【発明を実施するための形態】
【００１１】
本発明の好適な実施形態を図面を参照して説明する。
図１〜図５は本発明の一実施形態の外流しを示しており、この外流し１はポリプロピレンなどの合成樹脂やレンジコンクリートなどで一体成形された成形品であり、平面視方形状の底部２の周辺縁に前後壁部３、４及び左右壁部５、６が適宜な高さに立ち上がり、底部２内の後壁部４の根元部分の中央位置に排水口７を設けて形成してある。
【００１２】
より詳しくは、前後壁部３、４及び左右壁部５、６の上端は外方へ張り出したフランジ部８としてあり、後壁部４側のフランジ部８は後方へ長く張り出すとともにその中央部に水栓柱（図示せず）が嵌る切り欠き部８１を設けて形成してある。
また、前記周壁部の内、前壁部３は、図３に示されるように、底部２の前辺縁から鉛直方向に対して適宜な角度（θ）だけ底部２の内側、つまり後壁部４側へ傾斜させて立ち上げ、他の後壁部４と左右壁部５、６は各々底部２の辺縁から底部２の外側へ若干傾斜させつつ立ち上げて形成してある。
図３に示した通り、前壁部３の傾斜角度（θ）は０°〜２０°の範囲とするのが好ましい。０°以上であれば水の飛散を防止する効果を発揮し、２０°以下であれば前壁部３の高さを確保しながら水の飛散を防止可能であるとともに成形時に金型からスムーズに抜くことができる。より好ましくは、傾斜角度（θ）は５°〜１５°の範囲である。
【００１３】
さらに、図３及び図４に示されるように、底部２の上面全体に当該底部２の周辺縁側、つまり前後壁部３、４及び左右壁部５、６の根元部側から排水口７側へと向かって下り傾斜した水流れ勾配が設けてあり、底部２の略中央であって蛇口の水が流れ落ちる底部２の上面領域に、図５に示される山形断面を外流し１の前後方向である前後壁部２、３間方向に沿って連続させた形状を呈する多数の凸筋９１を、適宜な幅に亘って列設させてなる水受け面部９を設けてある。
また、水受け面部９の周囲には、排水口７に通ずる流水路１０を設けてある。
【００１４】
このように構成された本形態の外流し１によれば、図８に示されるように、水栓柱２０の外周に前記切り欠き部８１を嵌めるとともに支持台２３上に載せるなどして、水栓柱２０の前側に外流し１を適宜な高さで設置し、水栓柱２０の上部２２に取付けられていて外流し１の上方に配された蛇口２１を開けて水を流出させると、水は底部２の上面に設けられた水受け面部９に流れ落ち、水受け面部９に列設された凸筋９１に衝突して落下の衝撃が弱められるため水の撥ね上がりが起き難く、撥ね上がった水が外流し１の周辺に飛散することを防止することができる。仮に水の一部が撥ね上がっても、外流し１の前後方向に延びた凸筋９１に水が当たり、水の撥ね上がる方向が外流し１の左右方向に規制されるので、外流し１の正面側に居る利用者に撥ね返った水が掛ることはない。
また、底部２の上面全体に排水口７に向かって下り傾斜した水流れ勾配が設けてあるので、外流し１に流入した水は底部２の傾斜した上面を伝って排水口７に効率的に集水され、短時間で排水することができる。排水が追いつかず、外流し１に流入した水がオーバーフローするようなことはない。
【００１５】
図６は外流し１の他の実施形態を示しており、同図（Ａ）は、外流し１の左右方向である左右壁部５、６間方向に沿って山形断面を連続させた凸筋９１を列設して水受け面部９を形成した形態である。この場合、外流し１の前方への水撥ねを抑制するため、凸筋９１の断面形状は、図７（Ａ）に示されるように、その山形の頂部を挟んで、外流し１の前方の傾斜面９１ａを傾斜角度が大きな急傾斜面、後方の傾斜面９１ｂを傾斜角度が小さい緩傾斜面とすることが好ましい。
また、同図（Ｂ）は、底部２の上面に水受け面部９を分割して配置し、各分割された水受け面部９に前後方向と左右方向にそれぞれ延びた凸筋９１を列設するとともに、分割された水受け面部９の間に排水口７に通ずる流水路１０を配置した形態である。
さらに、同図（Ｃ）は、底部２の上面の中央を境として、その両側に斜め後方に延びた凸筋９１を列設して水受け面部９を形成した形態である。
【００１６】
図７は、前記各図に示した水受け面部９を構成する凸筋９１の他の形態を示しており、同図（Ｂ）は凸筋９１の山形の頂部を湾曲させた形態、同図（Ｃ）は凸筋９１を断面半円形状に設けた形態、同図（Ｄ）は凸筋９１を鋸歯形状に設けた形態である。
図６に示された水受け面部９の形態や図７に示された凸筋９１の形態であっても、蛇口から外流し１内に流れ落ちる水の落下の衝撃を分散し弱めて、水の撥ね上がりを抑えることが可能である。
【００１７】
なお、図示した外流しは本発明の実施形態の一例を示すものであり、本発明の外流しはこれらに限定されず、設置場所や利用態様などに応じて適宜な形態で構成することが可能である。
【符号の説明】
【００１８】
１  外流し、２  底部、３  前壁部、４  後壁部、５  左側面部、６  右側面部、７  排水口、８  フランジ部、９  水受け面部、９１  凸筋、１０  流水路
【図１】
2012087567.tif 000003
【図２】
2012087567.tif 000004
【図３】
2012087567.tif 000005
【図４】
2012087567.tif 000006
【図５】
2012087567.tif 000007
【図６】
2012087567.tif 000008
【図７】
2012087567.tif 000009
【図８】
2012087567.tif 000010
【図９】
2012087567.tif 000011
【図１０】
2012087567.tif 000012